(57)【特許請求の範囲】
【請求項１】
サイドシルの上面に取り付けられるサイドガーニッシュの下面に、概ね逆Ｔ字形の断面形状をなすように垂直板の下端に水平板を結合し且つ前記水平板の下面にその一方が前記垂直板に沿う十文字のリブを垂設してなる対カーペット結合部を設けると共に、当該カーペットの端縁部にスリットを設け、前記スリットを介して前記結合部を当該カーペットの下方へ通すことで当該カーペットを連結した前記サイドガーニッシュを前記サイドシルに結合するようにしてなることを特徴とするサイドシルに対するカーペットの連結部の構造。
【請求項２】
前記水平板は、前記スリットが延在する方向にその長辺を置いた長方形であり、且つその角部が切除されていることを特徴とする請求項１に記載のサイドシルに対するカーペットの連結部の構造。
【請求項３】
前記水平板における前記十文字のリブで区分けされた部分の一部が切除されていることを特徴とする請求項１若しくは２に記載のサイドシルに対するカーペットの連結部の構造。
【発明の詳細な説明】
【０００１】
【発明の属する技術分野】
本発明は、サイドシルに対するカーペットの連結部の構造に関するものである。
【０００２】
【従来の技術】
カーペットの端縁部を車体フロアに固定する部分の構造として、サイドシルの上面の要所にＴスタッドを設け、これにカーペットの端縁部に設けた孔を引っ掛けると共に、カーペットの端縁部をサイドシルとの間に挟み込んだ態様で、サイドガーニッシュをサイドシルの上面に取り付けた構造が知られている（特開平１０−１６６６２号公報参照）。この構造においては、Ｔスタッドとの係合部並びにサイドシルに設けられた孔に係合するクリップがサイドガーニッシュの下面に設けられており、これらの係合によってサイドガーニッシュがサイドシルに結合するようにされている。
【０００３】
【発明が解決しようとする課題】
この従来構造によると、サイドシルの上面に複数のＴスタッドを溶接し、かつ複数の孔を開けねばならない上、サイドガーニッシュをサイドシルに固定するためには、これらＴスタッドと孔との相互位置精度を高める必要がある。しかしながら、その製造工程が全く異なるＴスタッドと孔との相互位置精度にサイドガーニッシュを取り付けるのに支障のない所期の値を得ようとすると、車体の製造工程が繁雑化しがちである。
【０００４】
本発明は、このような従来技術の問題点を解消すべく案出されたものであり、その主な目的は、車体の製造工程を繁雑化させずに済むように改良されたサイドシルに対するカーペットの結合部の構造を提供することにある。
【０００５】
【課題を解決するための手段】
このような目的を果たすために、本発明の請求項１においては、サイドシル（２）の上面に取り付けられるサイドガーニッシュ（４）の下面に、概ね逆Ｔ字形の断面形状をなすように垂直板（延長部１８）の下端に水平板（平板１７）を結合し且つ前記水平板の下面にその一方が前記垂直板に沿う十文字のリブ（１６）を垂設してなる対カーペット結合部（８）を設けると共に、当該カーペット（１）の端縁部にスリット（２０）を設け、前記スリットを介して前記結合部を当該カーペットの下方へ通すことで当該カーペットを連結した前記サイドガーニッシュを前記サイドシルに結合するようにしてなることを特徴とするサイドシルに対するカーペットの連結部の構造を提供することとした。
特に、前記水平板を長方形とし、その角部を切除するものとしたり（請求項２）、前記水平板における前記十文字のリブで区分けされた部分の一部を切除するものとしたり（請求項３）すると良い。
【０００６】
このような請求項１の構成によれば、サイドガーニッシュに於けるサイドシルに対する結合部とカーペットとの結合部との間を互いに独立させることができ、しかもカーペットはサイドガーニッシュを介してサイドシルに連結されるので、サイドガーニッシュ、サイドシル、及びカーペットの三者間の相互位置精度を高める必要が無くなる。また請求項２の構成により、水平板の長辺でカーペットに対する結合長さを十分に取り、短辺側から差し込むことでカーペットに対する取り付けが容易となり、水平板の角部を切除したり、一部を切除したり（請求項３）してカーペットのスリットへの結合部の差し込みをより一層容易にすることができる。
【０００７】
【発明の実施の形態】
以下に添付の図面を参照して本発明について詳細に説明する。
【０００８】
図１乃至図３は、本発明に基づき構成されたカーペットの結合部を示している。このカーペット１の側端縁は、モノコック構造の車体の側部に前後方向の構造部材として延設されるサイドシル２に止め付けられるが、このサイドシル２は、アウタ部材２ａとインナ部材２ｂとをフランジｆ１・ｆ２同士で接合し、かつスポット溶接で一体に結合してなり、中空の箱状を為している。そしてインナ部材２ｂの側壁内面には、フロアパネル３がスポット溶接で一体に結合されている。なお、フランジｆ１・ｆ２には、ドア回りとのシールを行うためのウェザーストリップＷが装着される。
【０００９】
サイドシル２の上面には、サイドガーニッシュ４が取り付けられる。このサイドガーニッシュ４は、例えば合成樹脂材の射出成型で形成されており、その断面形状が下向きに凹となるように弓形に湾曲しており、その下面には、前後方向に延在する１本のリブ５と、左右方向に延在する複数のリブ６とが設けられている。
【００１０】
左右方向リブ６は、前後方向について適宜な間隔をおいており、そのリブの外端側に、サイドシル２との結合部７とカーペット１との結合部８とが、一つおきに形成されている。
【００１１】
対サイドシル結合部７は、図２に示すように、サイドシル２のインナ部材２ｂの上面と平行をなし且つ概ね半円形をなす底板９と、サイドガーニッシュ４の下面と底板９の外周縁の半円をなす部分とを結ぶ周壁１０とからなっている。そして底板９には、中心孔１１と、中心孔１１の一部を外側へ開く切欠部１２とが形成されている。この切欠部１２は、外側へ行くに連れて徐々に拡開している。
【００１２】
対サイドシル結合部７には、短い軸１３と、該軸１３の両端に一体形成された一対のフランジ１４ａ・１４ｂとを有する合成樹脂製クリップ１５が装着されている。このクリップ１５のフランジ１４ａ・１４ｂ間に上記底板９を挟み込ませるようにして中心孔１１に軸１３を結合させることにより、これらの材料自体が弾性変形する際に発揮する弾発力をもってサイドガーニッシュ４にクリップ１５が結合している。このクリップ１５を介してのサイドシル２に対するサイドガーニッシュ４の結合は、サイドシル２の上壁に設けられた孔にクリップ１５を下向きに押し付けて、サイドシル２にクリップ１５を装着することで達成される。
【００１３】
サイドガーニッシュ４の対カーペット結合部８は、図３に示したように、その下面に十文字のリブ１６を立てた長方形の水平方向平板１７に於いて、十文字のリブ１６で区分けされた４つの部分のうちの車室内側に位置する部分の後半分を切除すると共に、残りの３つの部分のうちの車室外側に位置する部分の角部を４５度の角度で切除し、且つ車室内側に位置する部分の角部に丸みを付けた形状をなしており、サイドガーニッシュ４の下面と適宜な間隔をおくように、前後方向リブ５の下縁から垂直方向に延出された延長部１８で連結されている。この結合部８に於ける十文字のリブ１６の左右方向に延在する部分の下縁には、サイドシル２のインナ部材２ｂの上面に合わせた傾斜が付けられており、前後方向に延在する部分は、延長部１８に沿っている。
【００１４】
カーペット１の側端には、要所に耳部１９が突出形成されている。この耳部１９には、適宜な前後方向長を有するスリット２０が形成されている。
【００１５】
このカーペット１をサイドガーニッシュ４に結合するには、図４に示すように、先ずスリット２０を広げて結合部８をカーペット１の上方からくぐらせて下方へ通し、スリット２０を閉じて結合部８の上方にカーペット１の耳部１９を乗せた形にする。この状態で、サイドガーニッシュ４に予め装着されているクリップ１５をサイドシル２に結合させることにより、カーペット１とサイドシル２とサイドガーニッシュ４とが相互に結合されることとなる。このように、カーペット１とサイドガーニッシュ４とクリップ１５とを予め互いに結合しておくことができるので、車体製造ラインに於ける部品管理を簡略化することができる。なお。平板１７の形状、即ちスリット２０の長手方向に平板１７の長辺を置いた点、十文字のリブ１６で区分けされた４つの部分のうちの車室内側に位置する部分の後半分を切除すると共に、残りの３つの部分のうちの車室外側に位置する部分の角部を４５度の角度で切除し、且つ車室内側に位置する部分の角部に丸みを付けた点は、スリット２０にくぐらせる際の容易化を企図したものである。
【００１６】
車体に取り付けられた状態のカーペット１の側端縁はサイドガーニッシュ４の内端縁で押さえられる。
【００１７】
【発明の効果】
このように本発明によれば、サイドガーニッシュに於けるサイドシルに対する結合部とカーペットとの結合部との間が互いに独立しているので、両者間の相互位置精度を高める必要が無くなる。従って、本発明により、車体の製造工程を繁雑化させずに済む。
【００１８】
また、カーペットはサイドガーニッシュにのみ結合すれば良く、カーペットの結合部をサイドシルに設ける必要がなくなるので、車体の構造が簡略化され、製造工数および製造コストの増大を抑制する上に大きな効果を奏することができる。
【図面の簡単な説明】
【図１】本発明の適用部位の上面図
【図２】図２中のII−II線に沿う断面図
【図３】図２中のIII−III線に沿う断面図
【図４】サイドガーニッシュに対するカーペットの結合要領を示す斜視図
【符号の説明】
１  カーペット
２  サイドシル
４  サイドガーニッシュ
８  対カーペット結合部
１９  耳部
２０  スリット
【図１】
0003640619.tif 000002
【図２】
0003640619.tif 000003
【図３】
0003640619.tif 000004
【図４】
0003640619.tif 000005